(57)【要約】【課題】観察対象物の歪みを招くことなく観察対象物を観察し易くすることのできる技術を提供する。【解決手段】本発明の画像表示装置は、画面を分割して得られる分割領域毎に、独立して発光輝度を制御可能な発光部を有する光源装置と、前記光源装置からの光を透過して入力画像を表示する表示パネルと、観察対象物が表示される分割領域を示す分割領域情報を取得する分割領域情報取得手段と、前記観察対象物が表示されない分割領域に対応する発光部の発光輝度が、前記観察対象物が表示される分割領域に対応する発光部の発光輝度に比べて低くなるように、前記分割領域情報取得手段で取得された分割領域情報に基づいて、前記光源装置が有する各発光部の発光輝度を制御する制御手段と、を有する。【選択図】図２
2014164080.tif 000002
【特許請求の範囲】
【請求項１】
画面を分割して得られる分割領域毎に、独立して発光輝度を制御可能な発光部を有する光源装置と、
前記光源装置からの光を透過して入力画像を表示する表示パネルと、
観察対象物が表示される分割領域を示す分割領域情報を取得する分割領域情報取得手段と、
前記観察対象物が表示されない分割領域に対応する発光部の発光輝度が、前記観察対象物が表示される分割領域に対応する発光部の発光輝度に比べて低くなるように、前記分割領域情報取得手段で取得された分割領域情報に基づいて、前記光源装置が有する各発光部の発光輝度を制御する制御手段と、
を有することを特徴とする画像表示装置。
【請求項２】
前記制御手段は、前記光源装置が有する発光部のうち、前記観察対象物が表示されない分割領域に対応する発光部を消灯させ、前記観察対象物が表示される分割領域に対応する発光部を点灯させる
ことを特徴とする請求項１に記載の画像表示装置。
【請求項３】
前記観察対象物の色範囲を示す色範囲情報を取得する色範囲情報取得手段をさらに有し、
前記分割領域情報取得手段は、前記色範囲情報取得手段で取得された色範囲情報と、前記入力画像とに基づいて、前記観察対象物が表示される分割領域を検出し、検出結果を前記分割領域情報として取得する
ことを特徴とする請求項１または２に記載の画像表示装置。
【請求項４】
前記画像表示装置は、表示制御装置と接続可能であり、
前記表示制御装置は、
前記観察対象物の色範囲を示す色範囲情報を取得する色範囲情報取得手段と、
前記色範囲情報取得手段で取得された色範囲情報と、前記画像表示装置で表示する前記入力画像とに基づいて、前記観察対象物が表示される分割領域を検出し、検出結果を前記分割領域情報として前記画像表示装置に出力する検出手段と、
を有し、
前記分割領域情報取得手段は、前記表示制御装置から前記分割領域情報を取得する
ことを特徴とする請求項１または２に記載の画像表示装置。
【請求項５】
前記観察対象物が表示される分割領域を検出する処理は、前記入力画像から前記色範囲情報で示された色範囲内の色を有する領域を抽出するフィルタ処理を行い、前記フィルタ処理の結果に基づいて前記観察対象物が表示される分割領域を検出する処理である
ことを特徴とする請求項３または４に記載の画像表示装置。
【請求項６】
前記観察対象物の色範囲は、ユーザーによって指定されるものであり、
前記色範囲情報は、前記観察対象物の色範囲を指定するユーザー操作に応じて生成される
ことを特徴とする請求項３〜５のいずれか１項に記載の画像表示装置。
【請求項７】
画面を分割して得られる分割領域毎に、独立して発光輝度を制御可能な発光部を有する光源装置と、前記光源装置からの光を透過して入力画像を表示する表示パネルと、を有する画像表示装置の制御方法であって、
観察対象物が表示される分割領域を示す分割領域情報を取得する分割領域情報取得ステップと、
前記観察対象物が表示されない分割領域に対応する発光部の発光輝度が、前記観察対象物が表示される分割領域に対応する発光部の発光輝度に比べて低くなるように、前記分割領域情報取得ステップで取得された分割領域情報に基づいて、前記光源装置が有する各発光部の発光輝度を制御する制御ステップと、
を有することを特徴とする画像表示装置の制御方法。
【請求項８】
前記制御ステップでは、前記光源装置が有する発光部のうち、前記観察対象物が表示されない分割領域に対応する発光部を消灯させ、前記観察対象物が表示される分割領域に対応する発光部を点灯させる
ことを特徴とする請求項７に記載の画像表示装置の制御方法。
【請求項９】
前記観察対象物の色範囲を示す色範囲情報を取得する色範囲情報取得ステップをさらに有し、
前記分割領域情報取得ステップでは、前記色範囲情報取得ステップで取得された色範囲情報と、前記入力画像とに基づいて、前記観察対象物が表示される分割領域を検出し、検出結果を前記分割領域情報として取得する
ことを特徴とする請求項７または８に記載の画像表示装置の制御方法。
【請求項１０】
前記画像表示装置は、表示制御装置と接続可能であり、
前記表示制御装置は、
前記観察対象物の色範囲を示す色範囲情報を取得する色範囲情報取得手段と、
前記色範囲情報取得手段で取得された色範囲情報と、前記画像表示装置で表示する前記入力画像とに基づいて、前記観察対象物が表示される分割領域を検出し、検出結果を前記分割領域情報として前記画像表示装置に出力する検出手段と、
を有し、
前記分割領域情報取得ステップでは、前記表示制御装置から前記分割領域情報を取得する
ことを特徴とする請求項７または８に記載の画像表示装置の制御方法。
【請求項１１】
前記観察対象物が表示される分割領域を検出する処理は、前記入力画像から前記色範囲情報で示された色範囲内の色を有する領域を抽出するフィルタ処理を行い、前記フィルタ処理の結果に基づいて前記観察対象物が表示される分割領域を検出する処理である
ことを特徴とする請求項９または１０に記載の画像表示装置の制御方法。
【請求項１２】
前記観察対象物の色範囲は、ユーザーによって指定されるものであり、
前記色範囲情報は、前記観察対象物の色範囲を指定するユーザー操作に応じて生成される
ことを特徴とする請求項９〜１１のいずれか１項に記載の画像表示装置の制御方法。
【発明の詳細な説明】
【技術分野】
【０００１】
本発明は、画像表示装置及びその制御方法に関する。
【背景技術】
【０００２】
病気の診断や原因の究明を目的とした検査には、病理検査がある。病理検査では、手術または検査の目的で採取された臓器、組織、細胞などが、顕微鏡を用いて詳細に診断される。近年では、高感度デジタル撮像装置の開発などに伴い、デジタル化した顕微鏡画像を用いた診断が行われ始め、デジタル化した顕微鏡画像を用いた診断に対するニーズも増加している。
【０００３】
病理検査に用いる画像には、詳細に観察する必要がある物体（例えば診断において重要な物体）と、それ以外の物体とが混在している場合がある。以後、詳細に観察する必要がある物体を「観察対象物」または「診断対象物」と記載する。
【０００４】
標本には、小球性低色素性貧血の原因（鉄代謝の病態）の診断のために鉄染色が施されたものがある。この標本では、赤色に染色された多量のタンパク質粒子の中に、青色に染色された微量の鉄成分が存在している。そして、この標本では、青色に染色された鉄成分が上述した観察対象物にあたる。
しかし、観察対象物である鉄成分は微量であり、鉄成分を観察する際に周囲の細胞が視界に入るため、周囲の細胞が鉄成分の観察の妨げになる場合がある。即ち、鉄成分が観察し難くなる場合がある。
【０００５】
従来技術として、画像処理により観察対象物を強調表示する技術が提案されている。
しかしながら、そのような技術を用いた場合、観察対象物に画像処理による歪みが生じてしまう。そのため、そのような技術は観察対象物の観察（診断）には適さない。
【０００６】
また、従来技術として、画面内の所定領域に表示される画像（画像信号）の輝度特徴量に応じてバックライト全体の発光輝度を制御する技術がある（特許文献１）。
しかしながら、バックライト全体の発光輝度を制御しても、観察対象物だけを強調表示することはできないため、観察対象物を観察し易くすることはできない。また、観察対象物を輝度で特定することはできないため、輝度に応じてバックライトの発光輝度を制御しても、観察対象物を観察し易くすることはできない。そのため、特許文献１に開示の技術を用いたとしても、観察対象物を観察し易くすることはできない。
【先行技術文献】
【特許文献】
【０００７】
【特許文献１】特開２００５−３４６０３２号公報
【発明の概要】
【発明が解決しようとする課題】
【０００８】
本発明は、観察対象物の歪みを招くことなく観察対象物を観察し易くすることのできる技術を提供することを目的とする。
【課題を解決するための手段】
【０００９】
本発明の画像表示装置は、
画面を分割して得られる分割領域毎に、独立して発光輝度を制御可能な発光部を有する光源装置と、
前記光源装置からの光を透過して入力画像を表示する表示パネルと、
観察対象物が表示される分割領域を示す分割領域情報を取得する分割領域情報取得手段と、
前記観察対象物が表示されない分割領域に対応する発光部の発光輝度が、前記観察対象物が表示される分割領域に対応する発光部の発光輝度に比べて低くなるように、前記分割領域情報取得手段で取得された分割領域情報に基づいて、前記光源装置が有する各発光部の発光輝度を制御する制御手段と、
を有することを特徴とする。
【００１０】
本発明の画像表示装置の制御方法は、
画面を分割して得られる分割領域毎に、独立して発光輝度を制御可能な発光部を有する光源装置と、前記光源装置からの光を透過して入力画像を表示する表示パネルと、を有する画像表示装置の制御方法であって、
観察対象物が表示される分割領域を示す分割領域情報を取得する分割領域情報取得ステップと、
前記観察対象物が表示されない分割領域に対応する発光部の発光輝度が、前記観察対象物が表示される分割領域に対応する発光部の発光輝度に比べて低くなるように、前記分割領域情報取得ステップで取得された分割領域情報に基づいて、前記光源装置が有する各発光部の発光輝度を制御する制御ステップと、
を有することを特徴とする。
【発明の効果】
【００１１】
本発明によれば、観察対象物の歪みを招くことなく観察対象物を観察し易くすることができる。
【図面の簡単な説明】
【００１２】
【図１】実施例１に係るシステムの構成の一例を示す概略図
【図２】実施例１に係る画像表示装置の機能構成の一例を示すブロック図
【図３】実施例１に係るＧＵＩの一例を示す図
【図４】実施例１に係る基準色データを得るための変換テーブルの一例を示す図
【図５】実施例１に係るサイズデータを得るための変換テーブルの一例を示す図
【図６】実施例１に係る観察対象物強調表示処理の一例を示すフローチャート
【図７】実施例１に係る入力画像の一例を示す図
【図８】実施例１に係るフィルタ画像の一例を示す図
【図９】実施例１に係る分割領域の一例を示す図
【図１０】実施例１に係るバックライト制御データの一例を示す図
【図１１】実施例１に係るフィルタ画像と分割領域の関係の一例を示す図
【図１２】実施例１に係る発光部から発せられた光の輝度分布の一例を示す図
【図１３】実施例１に係る表示画像の一例を示す図
【図１４】実施例２に係るシステムの構成の一例を示す概略図
【図１５】実施例２に係るＰＣの機能構成の一例を示すブロック図
【図１６】実施例２に係る画像表示装置の機能構成の一例を示すブロック図
【発明を実施するための形態】
【００１３】
＜実施例１＞
以下、本発明の実施例１に係る画像表示装置及びその制御方法について説明する。
図１は、本実施例に係るシステム（医療診断支援用顕微鏡制御システム）の構成の一例を示す概略図である。医療診断支援用顕微鏡制御システムは、病理標本を観察するデジタルパソロジーシステムで用いられる。図１に示すように、本実施例に係るシステムは、顕微鏡１００、撮像装置１１０、顕微鏡制御装置１２０、パーソナルコンピュータ（ＰＣ）
１３０、画像表示装置２００などを有する。
【００１４】
顕微鏡１００は、ＵＳＢケーブルなどの通信ケーブルを用いて顕微鏡制御装置１２０に接続されている。顕微鏡１００は、不図示の対物レンズ、電動ステージ、標本、接眼レンズ、照明装置、電動ステージ駆動装置等を有しており、顕微鏡制御装置１２０からの制御信号によって制御される。標本は、例えば、スライドガラス上に載せられた検体にカバーガラスを被せることによって作成されたプレパラートである。本実施例では、染色された血液が検体として用いられる。
【００１５】
撮像装置１１０は、ＵＳＢケーブルなどの通信ケーブルを用いて顕微鏡制御装置１２０に接続されている。撮像装置１１０は、顕微鏡１００を介して標本を撮像し、撮像によって得られた画像（顕微鏡画像）を顕微鏡制御装置１２０に送る。
【００１６】
顕微鏡制御装置１２０は、顕微鏡１００、撮像装置１１０、ＰＣ１３０、及び、画像表示装置２００に接続されている。顕微鏡制御装置１２０は、顕微鏡１００と撮像装置１１０を制御することにより、観察対象物（診断対象物）にフォーカスが当たった顕微鏡画像を取得する。そして、顕微鏡制御装置１２０は、取得した顕微鏡画像を画像表示装置２００に出力する。「観察対象物」は、観察の対象となる物体である。例えば、「観察対象物」は、診断において重要な物体などのように、詳細に観察する必要がある物体である。
【００１７】
ＰＣ１３０は、ＵＳＢケーブルなどの通信ケーブルを用いて顕微鏡制御装置１２０に接続されている。ＰＣ１３０は、ＤＶＩ（Ｄｉｇｉｔａｌ  Ｖｉｓｕａｌ  Ｉｎｔｅｒｆａｃｅ）ケーブルやＵＳＢケーブルなどの通信ケーブルを用いて画像表示装置２００に接続されている。ＰＣ１３０には、不図示のキーボードとマウスが接続されている。ＰＣ１３０は、観察対象物の色範囲を設定するためのＧＵＩ（Ｇｒａｐｈｉｃａｌ  Ｕｓｅｒ  Ｉｎｔｅｒｆａｃｅ）を画像表示装置２００に表示させる。ユーザーは、キーボードやマウスを用いてＧＵＩを操作することにより、観察対象物の色範囲を設定（及び変更）することができる。ＰＣ１３０は、観察対象物の色範囲を指定し設定するユーザー操作に応じて、設定された色範囲を示す色範囲情報を生成し、生成した色範囲情報を画像表示装置２００に送る。上記ＧＵＩは、例えば、観察対象物の基準色と、色範囲の広さ（サイズ）とを選択可能なＧＵＩである。
なお、本実施例では、ユーザーインターフェースがキーボードとマウスである場合の例を示したが、ユーザーインターフェースはこれらに限らない。例えば、ユーザーインターフェースとして、ＰＣ１３０や画像表示装置２００にボタンやタッチパネルが設けられていてもよい。
【００１８】
画像表示装置２００は、入力された画像（入力画像）を表示する装置である。画像表示装置２００は、ＤＶＩケーブルなどの通信ケーブルを用いて顕微鏡制御装置１２０に接続されている。画像表示装置２００は、ＤＶＩケーブルやＵＳＢケーブルなどの通信ケーブルを用いてＰＣ１３０に接続されている。画像表示装置２００は、顕微鏡制御装置１２０から顕微鏡画像を取得し、ＰＣ１３０からの色範囲情報を取得する。画像表示装置２００は、顕微鏡画像と色範囲情報を取得した後、色範囲情報に基づいて顕微鏡画像から診断対象物（診断対象物が存在する領域）を検出する。そして、画像表示装置２００は、顕微鏡画像を表示する際に、検出結果に基づいて診断対象物を強調する強調表示を行う。
【００１９】
図２は、画像表示装置２００（液晶表示装置）の機能構成の一例を示すブロック図である。画像表示装置２００は、画像入力部２０１、画像処理部２０２、液晶表示パネル２０３、色範囲情報取得部２０４、領域特定部２０５、バックライト制御部２０６、バックライト２０７を備える。
なお、本実施例では、画像表示装置２００が液晶表示装置であるものとしたが、画像表
示装置２００が液晶表示装置に限らない。画像表示装置２００は、光を発する光源装置と、光源装置からの光を透過して画像を表示する表示パネルとを有していればよい。
【００２０】
画像入力部２０１は、顕微鏡制御装置１２０から顕微鏡画像（入力画像）を取得し、取得した顕微鏡画像を画像処理部２０２と液晶表示パネル２０３に送る。
【００２１】
バックライト２０７は、画面を分割して得られる分割領域毎に、独立して発光輝度を制御可能な発光部を有する光源装置である。例えば、バックライト２０７では、一部の発光部の発光輝度を、他の発光部の発光輝度よりも高いまたは低い発光輝度に制御することができる。また、バックライト２０７では、一部の発光部を消灯し、他の発光を点灯することができる。各発光部の発光輝度は、バックライト制御部２０６からの制御信号によって制御される。
なお。本実施例では、発光部の光源としてＬＥＤが使用されているものとするが、発光部の光源はこれに限らない。例えば、発光部の光源として、冷陰極管や有機ＥＬ素子が使用することもできる。
【００２２】
液晶表示パネル２０３は、バックライト２０７からの光を透過して入力画像（画像入力部２０１から出力された顕微鏡画像）を画面に表示する表示パネルである。具体的には、液晶表示パネル２０３は、複数の液晶素子を有しており、各液晶素子の透過率を入力画像の画素値に応じて制御する。そして、バックライト２０７からの光が、入力画像の画素値に応じた透過率で各液晶素子を透過することにより、画面に入力画像が表示される。
なお、表示パネルは液晶表示パネル２０３に限らない。例えば、液晶素子の代わりに光の透過率を変更可能な各種素子を利用することができる。
【００２３】
色範囲情報取得部２０４は、ＰＣ１３０から色範囲情報を取得し、観察対象物の色範囲を画像処理部２０２に伝える。上述したように、色範囲情報は、観察対象物の色範囲を示す情報である。本実施例では、色範囲情報取得部２０４は、色範囲情報として、観察対象物の取り得る色の基準である基準色を示す基準色データと、色範囲の広さ（サイズ）を示すサイズデータとを取得する。そして、色範囲情報取得部２０４は、基準色データとサイズデータから観察対象物の色範囲を算出し、算出結果を画像処理部２０２に送る。
なお、本実施例では、色範囲情報として基準色データとサイズデータが取得されるものとしたが、色範囲情報はこれに限らない。例えば、色範囲情報は、観察対象物の色範囲そのものを示す情報であってもよい。その場合には、色範囲情報取得部２０４は、取得した色範囲情報をそのまま画像処理部２０２に送ればよい。
【００２４】
画像処理部２０２と領域特定部２０５により、観察対象物が表示される分割領域を示す分割領域情報が取得される（分割領域情報取得）。
本実施例では、色範囲情報取得部２０４で取得された色範囲情報と、画像入力部２０１で取得された顕微鏡画像（入力画像）とに基づいて、観察対象物が表示される分割領域が検出され、検出結果が分割領域情報として取得される。
【００２５】
画像処理部２０２は、画像入力部２０１から顕微鏡画像を受け取る。また、画像処理部２０２には、色範囲情報取得部２０４から、色範囲情報で示された色範囲（観察対象物の色範囲）が伝えられる。そして、画像処理部２０２は、顕微鏡画像に対して、色範囲情報で示された色範囲に応じたフィルタ処理を施し、フィルタ処理が施された顕微鏡画像を領域特定部２０５に送る。
なお、本実施例では、上記フィルタ処理が、顕微鏡画像から色範囲情報で示された色範囲内の色を有する領域を抽出する処理であるものとするが、フィルタ処理はこれに限らない。例えば、フィルタ処理は、顕微鏡画像から色範囲情報で示された色範囲外の色を有する領域を抽出する処理であってもよい。
【００２６】
領域特定部２０５は、画像処理部２０２から上記フィルタ処理の結果（上記フィルタ処理が施された顕微鏡画像）を受け取る。領域特定部２０５は、上記フィルタ処理の結果に基づいて、観察対象物が表示される分割領域を検出する。具体的には、領域特定部２０５は、上記フィルタ処理が施された顕微鏡画像を分割領域単位でスキャンすることにより、観察対象物が表示される分割領域（対象表示領域）と、観察対象物が表示されない分割領域（非対象表示領域）とを特定する。即ち、領域特定部２０５は、分割領域毎に、その分割領域が対象表示領域であるか非対象表示領域であるかを判定する。本実施例では、少なくとも一部に抽出領域（フィルタ処理によって抽出された領域）を含む分割領域が対象表示領域として検出され、それ以外の分割領域が非対象表示領域として検出される。そして、領域特定部２０５は、分割領域毎に、その分割領域についての上記判定の結果に応じてバックライト制御情報を生成し、生成したバックライト制御情報を記憶する。全分割領域（画面全体）のバックライト制御情報が揃った後に、領域特定部２０５は、分割領域毎のバックライト制御情報を上記分割領域情報（バックライト制御データ）としてバックライト制御部２０６に送る。
なお、対象表示領域と非対象表示領域の検出方法は上記方法に限らない。例えば、抽出領域のみからなる分割領域が対象表示領域として検出され、それ以外の分割領域が非対象表示領域として検出されてもよい。分割領域のサイズに対する、当該分割領域に含まれる抽出領域のサイズの割合が所定値以上の分割領域が対象表示領域として検出され、それ以外の分割領域が非対象表示領域として検出されてもよい。
なお、本実施例では、分割領域情報が全分割領域分のバックライト制御情報であるものとしたが、分割領域情報はこれに限らない。分割領域情報は、判定対象物が表示される分割領域を示す情報であれば、どのような情報であってもよい。例えば、分割領域情報は、対象表示領域として判定された分割領域のみのバックライト制御情報であってもよい。
【００２７】
バックライト制御部２０６は、領域特定部２０５からのバックライト制御データ（分割領域毎のバックライト制御情報）に基づいて、バックライト２０７が有する各発光部の発光輝度を制御する。
【００２８】
図３は、ＰＣ１３０によって画像表示装置２００の画面に表示されるＧＵＩ（観察対象物の色範囲を設定するためのＧＵＩ）の一例を示す図である。
図３の例では、ＧＵＩ（観察対象色設定メニュー画像３０１）は、染色方法選択部３０２とサイズ選択部３０３を有する。
ユーザーは、染色方法選択部３０２を操作することにより、観察するサンプル（本実施例では血液）に施されている染色の方法を選択することができる。具体的には、染色方法選択部３０２には、染色方法のリストが表示されており、ユーザーは、リスト表示されている複数の染色方法（「Ａ染色」、「Ｂ染色」、「鉄染色」、「Ｃ染色」、「Ｄ染色」・・・）の中から１つを選択することができる。ユーザーが染色方法を選択すると、ＰＣ１３０は、選択された染色方法に対応する基準色データを生成する。
また、ユーザーは、サイズ選択部３０３を操作することにより、観察対象物の色範囲のサイズを選択することができる。具体的には、サイズ選択部３０３には、サイズのリストが表示されており、ユーザーは、リスト表示されている複数のサイズの中から１つを選択することができる。図３の例では、リスト表示されているサイズは「狭い」、「普通」、「広い」の３つであり、数値ではない。ユーザーがサイズを選択すると、ＰＣ１３０は、選択されたサイズに対応するサイズデータ（サイズを数値で示すデータ）を生成する。
基準色データとサイズデータが生成されると、ＰＣ１３０は、生成されたそれらのデータを色範囲情報として画像表示装置２００に送信する。
【００２９】
なお、リスト表示される染色方法やサイズの数は特に限定されない。例えば、リスト表示されるサイズの数は３つより多くても少なくてもよい。
なお、本実施例では、染色方法と、数値ではないサイズとがユーザーによって選択されるものとしたが、これに限らない。例えば、複数の基準色がリスト表示され、リスト表示された複数の基準色の中から１つが選択されてもよい。また、サイズを示す複数の数値がリスト表示され、複数の数値の中から１つが選択されてもよい。ＧＵＩは、観察対象物の色範囲を示す色域を入力可能なＧＵＩであってもよい。
【００３０】
図４は、ＰＣ１３０が基準色データを生成するため（選択された染色方法を基準色データに変換するため）に使用する変換テーブルの一例を示す図である。
図４の変換テーブルは、リスト表示される染色方法と基準色データが関連付けられたテーブルである。図４の変換テーブルでは、染色方法毎に、基準色データとしてＲＧＢ値（Ｒ値とＧ値とＢ値の組み合わせ）が関連付けられている。具体的には、「Ａ染色」に対し（Ｒ値，Ｇ値，Ｂ値）＝（２５５，０，０）が、「Ｂ染色」に対し（０，２５５，０）が、「鉄染色」に対し（０，０，２５５）が関連付けられている。そして、「Ｃ染色」に対し（２５５，０，２５５）が、「Ｄ染色」に対し（２５５，２５５，０）が関連付けられている。
ＰＣ１３０は、選択された染色方法に関連付けられているＲＧＢ値を図４の変換テーブルから取得し、取得したＲＧＢ値を基準色データとして出力する。
なお、基準色データはＲＧＢ値に限らない。例えば、基準色データは、Ｃｂ値とＣｒ値の組み合わせであってもよい。
【００３１】
図５は、ＰＣ１３０がサイズデータを生成するため（選択されたサイズをサイズデータに変換するため）に使用する変換テーブルの一例を示す図である。
図５の変換テーブルは、リスト表示されるサイズ（「狭い」、「普通」、「広い」）とサイズデータが関連付けられたテーブルである。図５の変換テーブルでは、数値でないサイズ毎に、サイズを数値で示すサイズデータが関連付けられている。具体的には、「狭い」に対し１０％が、「普通」に対し２０％が、「広い」に対し４０％が関連付けられている。ここで、サイズデータ（１０％、２０％、４０％）は、色範囲のサイズに対応する画素値の範囲の、画素値の取り得る範囲全体に対する割合である。
ＰＣ１３０は、選択されたサイズ（非数値）に関連付けられている数値を図５の変換テーブルから取得し、取得した数値をサイズデータとして出力する。
なお、サイズデータは上記割合に限らない。例えば、サイズデータは、所定の色空間内における基準色からの距離であってもよい。
【００３２】
図６は、画像表示装置２００の処理（観察対象物強調表示処理）の流れの一例を示すフローチャートである。
以下、図６を用いて観察対象物強調処理の流れを説明する。
なお、前提として、顕微鏡画像と色範囲情報（基準色データとサイズデータ）が画像表示装置２００に入力されているものとする。
まず、色範囲情報取得部２０４が、ＰＣ１３０から色範囲情報（基準色データとサイズデータ）を受け取る（Ｓ６０１）。
次に、色範囲情報取得部２０４が、Ｓ６０１で受け取った色範囲情報から観察対象物の色範囲を算出する（Ｓ６０２）。算出結果は画像処理部２０２に送られる。
そして、画像処理部２０２が、画像入力部２０１から入力された顕微鏡画像に対して、Ｓ６０２の算出結果（観察対象物の色範囲）に応じたフィルタ処理を施す（Ｓ６０３）。フィルタ処理が施された顕微鏡画像は領域特定部２０５に送られる。
次に、領域特定部２０５が、複数の分割領域のうちの１つを処理対象として選択し、Ｓ６０３で生成された画像（フィルタ処理が施された顕微鏡画像）に基づいて、処理対象の分割領域が対象表示領域か非対象表示領域かを判定する（Ｓ６０４）。
処理対象の分割領域が対象表示領域であると判定した場合には、領域特定部２０５が、処理対象の分割領域のバックライト制御情報として“点灯”を生成する（Ｓ６０５）。そ
して、Ｓ６０７に処理が進められる。
処理対象の分割領域が非対象表示領域であると判定した場合には、領域特定部２０５が、処理対象の分割領域のバックライト制御情報として“消灯”を生成する（Ｓ６０６）。そして、Ｓ６０７に処理が進められる。
Ｓ６０７では、領域特定部２０５が、全ての分割領域についてバックライト制御情報が生成されたか否か（全ての分割領域についてＳ６０４〜Ｓ６０６の処理が行われたか否か）を判定する。全ての分割領域についてバックライト制御情報が生成されるまでＳ６０４〜Ｓ６０６の処理が繰り返される。全ての分割領域についてバックライト制御情報が生成されると、領域特定部２０５がバックライト制御部２０６に分割領域毎のバックライト制御情報をバックライト制御データ（分割領域情報）として出力し、Ｓ６０８に処理が進められる。
Ｓ６０８では、バックライト制御部２０６が、領域特定部２０５から送られたバックライト制御データ（分割領域毎のバックライト制御情報）に基づいて、バックライト２０７が有する各発光部の発光輝度を制御する。本実施例では、バックライト制御部２０６は、バックライト２０７が有する発光部のうち、バックライト制御情報が“消灯”である分割領域に対応する発光部を消灯させ、バックライト制御情報が“点灯”である分割領域に対応する発光部を点灯させる。即ち、バックライト制御部２０６は、観察対象物が表示されない分割領域に対応する発光部を消灯させ、観察対象物が表示される分割領域に対応する発光部を点灯させる。点灯時の発光輝度は特に限定されない。例えば、点灯時の発光輝度は、メーカーによって予め定められた発光輝度であってもよいし、ユーザーによって設定（変更）された発光輝度であってもよいし、入力画像に基づいて決定された発光輝度であってもよい。
【００３３】
なお、バックライト制御情報は“点灯”と“消灯”に限らない。バックライト制御情報は“対象表示領域”と“非対象表示領域”であってもよい。即ち、バックライト制御情報は、分割領域が対象表示領域か非対象表示領域かの判定の結果そのものであってもよい。また、対象表示領域と判定された分割領域に対して“１”が、非対象表示領域と判定された分割領域に対して“０”が、バックライト制御情報として生成されてもよい。
【００３４】
図７は、本実施例に係る画像表示装置２００に入力される顕微鏡画像の一例を示す図である。具体的には、図７は、小球性低色素性貧血の原因（鉄代謝の病態）の診断のために鉄染色が施された血液の顕微鏡画像の一例を示す。血液は複数の細胞を含んでいる。例えば、図７に示すように、血液は、観察対象物である鉄成分７０１と、観察対象物ではないタンパク質粒子７０２とを有する。血液に鉄染色を施すことにより、鉄成分７０１は青色に染色され、タンパク質粒子７０２は赤色に染色される。
【００３５】
図８は、本実施例に係るフィルタ処理が施された顕微鏡画像の一例を示す図である。具体的には、図８は、基準色データが（０，０，２５５）であり、サイズデータが２０％である色範囲情報に応じたフィルタ処理を図７の顕微鏡画像に対して施すことによって得られる画像の一例を示す。基準色データが（０，０，２５５）であり、サイズデータが２０％である色範囲情報に応じたフィルタ処理は、例えば、画素値（０，０，２５５）を中心とする±２０％の範囲内の画素値を有する画素を画像から抽出する処理である。図７の顕微鏡画像では、鉄成分７０１のみが上記範囲内の画素値（色）を有する。そのため、フィルタ処理が施された顕微鏡画像として、図８に示すように、抽出領域８０１（鉄成分７０１の領域）の画素が存在し、他の画素が存在しない画像が得られる。符号８０２は画素が存在しない領域を示す。
【００３６】
図９は、本実施例に係る分割領域の一例を示す図である。
図９の例では、画面を水平方向１６個、垂直方向１０個に分割することにより得られる１６０個の領域（位置（０（水平位置），０（垂直位置））の領域９０１から位置（９，
１５）の領域９０２）のそれぞれが分割領域である。図９において、水平方向に並べられた数値は水平位置を示し、垂直方向に並べられた数値は垂直位置を示す。バックライト２０７は、少なくとも、１６０個の分割領域に対応する１６０個の発光部を有する。各発光部の発光輝度は個別に制御することができる。
なお、１つの分割領域に対して複数の発光部が対応付けられていてもよい。
なお、分割領域の数は１６０個より多くても少なくてもよい。また、分割領域は、画面を水平方向または垂直方向のいずれか一方に分割して得られる領域であってもよい。
【００３７】
図１０は、本実施例に係るバックライト制御データの一例を示す図である。
全ての分割領域についてバックライト制御情報が生成されると、領域特定部２０５は、図１０に示すようなバックライト制御データをバックライト制御部２０６に出力する。
図１０の例では、分割領域の各位置に対して“点灯”または“消灯”が関連付けられている。本実施例では、図１０に示すように、分割領域毎に、その分割領域に対応する発光部を点灯させるか消灯させるかを設定することができる。
【００３８】
図１１は、本実施例に係るフィルタ画像（フィルタ処理が施された画像）と分割領域の関係の一例を示す図である。具体的には、図１１は、図１０に示す１６個の分割領域に図８に示すフィルタ画像を重ねた図である。
本実施例では、領域特定部２０５によって、少なくとも一部に抽出領域を含む分割領域が対象表示領域として検出され、それ以外の分割領域が非対象表示領域として検出される。そして、領域特定部２０５によって、対象表示領域として検出された分割領域に対して“点灯”が、非対象表示領域として検出された分割領域に対して“消灯”が関連付けられたバックライト制御データが生成される。
図１１の例では、少なくとも一部に抽出領域１１０１（抽出領域８０１）を含む分割領域（位置（６，３）の分割領域１１０２、位置（７，３）の分割領域１１０３、及び、位置（７，４）の分割領域１１０４）が対象表示領域として検出される。そして、それ以外の分割領域が非対象表示領域として検出される。その後、位置（６，３）、位置（７，３）、及び、位置（７，４）に対して“点灯”が、それら以外の全ての位置（分割領域の位置）に対して“消灯”が関連付けられたバックライト制御データが生成される。
【００３９】
図１２は、本実施例に係る発光部から発せられた光の輝度分布の一例を示す図である。具体的には、図１２は、位置０の分割領域に対応する発光部からの光の輝度分布の一例を示す。図１２の例では、位置０の発光部は、最大発光輝度に対する割合が９０％の発光輝度で点灯されている。図１２から、位置０の発光部からの光が、当該発光部に対応する分割領域外に漏れることがわかる。また、図１２から、位置０の発光部からの光の輝度が、該発光部から離れるにつれて滑らかに低減することがわかる。
【００４０】
図１３は、本実施例に係る画像表示装置２００で表示された画像（表示画像）の一例を示す。具体的には、図１３は、図８のフィルタ画像から得られたバックライト制御データに従って各発光部の発光輝度を制御して、図７の顕微鏡画像を表示した場合の、表示画像の一例を示す。
上述したように、図８のフィルタ画像からは、位置（６，３）、位置（７，３）、及び、位置（７，４）に対して“点灯”が、それら以外の全ての位置に対して“消灯”が関連付けられたバックライト制御データが得られる。そのため、位置（６，３）、位置（７，３）、及び、位置（７，４）の発光部が点灯され、それら以外の全ての発光部が消灯される。その結果、図１３に示すように、観察対象物の領域が明るく表示され、他の領域が暗く表示される（または表示されない）ため、観察対象物が強調表示することができ、観察対象物を観察し易くすることができる。また、本実施例では、画像処理が施されていない入力画像が表示されるため、画像処理による画像の歪みが生じることはない。さらに、図１２に示すように、各発光部からの光の輝度は画面内で滑らかに変化するため、一部の発
光部のみを点灯させたとしても、画像の歪みが生じることはない。
なお、図１３では、分かり易さのために、画面内での表示画像の輝度の変化を等高線状に表現しているが、実際には滑らかに変化する。
【００４１】
以上述べたように、本実施例によれば、光源装置が有する発光部のうち、観察対象物が表示されない分割領域に対応する発光部が消灯され、観察対象物が表示される分割領域に対応する発光部が点灯される。それにより、観察対象物の歪みを招くことなく観察対象物を観察し易くすることができる。
【００４２】
なお、観察対象物が表示されない分割領域に対応する発光部は消灯しなくてもよい。観察対象物が表示されない分割領域に対応する発光部の発光輝度が、観察対象物が表示される分割領域に対応する発光部の発光輝度に比べて低くなるように、各発光部の発光輝度が制御されればよい。例えば、観察対象物が表示されない分割領域に対応する発光部の発光輝度を消灯しない程度に低減してもよい。観察対象物が表示される分割領域に対応する発光部の発光輝度を高めてもよい。観察対象物が表示されない分割領域に対応する発光部の発光輝度を低減する制御と、観察対象物が表示される分割領域に対応する発光部の発光輝度を高める制御との両方が行われてもよい。それらの構成であっても、上記効果に順じた効果を得ることができる。
但し、観察対象物が表示されない分割領域に対応する発光部を消灯すれば、消灯しない場合に比べて観察対象物の強調度合いが高まるため、観察対象物をより観察し易くすることができる。
【００４３】
なお、本実施例では、色範囲情報と入力画像に基づいて観察対象物が表示される分割領域を検出する構成としたが、これに限らない。観察対象物が表示される分割領域を示す分割領域情報が外部から取得されてもよい。
なお、本実施例では、観察対象物の色範囲がユーザーによって指定されるものとしたが、これに限らない。例えば、観察対象物の色範囲は、検査目的などに応じて自動で設定されてもよい。
【００４４】
なお、検体は血液に限らない。観察対象物はどのような細胞であってもよい。
なお、本実施例では、観察対象物が染色されている例を説明したが、観察対象物は染色されていなくてもよい。そして、色範囲情報として、観察対象物の本来の色の範囲を示す情報が使用されてもよい。
なお、本実施例に係る画像表示装置は診断において使用される装置に限らない。観察対象物は細胞でなくてもよい。例えば、本実施例に係る画像表示装置は、材料検査（研究）や装置検査においても利用できる。具体的には、材料を撮像して得られた画像を表示する際に、上記処理により、材料検査（研究）において注目すべき物質が強調表示されてもよい。
【００４５】
＜実施例２＞
以下、本発明の実施例２に係る画像表示装置（表示制御装置と接続可能な画像表示装置）及びその制御方法について説明する。なお、本実施例において、実施例１と同じ機能部には実施例１と同じ符号を付し、その説明は省略する。
図１４は、本実施例に係るシステムの構成の一例を示す概略図である。図１４に示すように、本実施例に係るシステムは、顕微鏡１００、撮像装置１１０、顕微鏡制御装置１２０、ＰＣ１５００（表示制御装置）、画像表示装置１６００などを有する。本実施例では、顕微鏡制御装置１２０から出力された顕微鏡画像が、ＰＣ１５００と画像表示装置１６００に入力される。ＰＣ１５００は、実施例１のＰＣ１３０とは異なる機能を有する。また、画像表示装置１６００は、実施例１の画像表示装置２００とは異なる構成を有する。
【００４６】
図１５は、ＰＣ１５００の機能構成の一例を示すブロック図である。ＰＣ１５００は、画像入力部１５０１、画像処理部１５０２、領域特定部１５０３、メニュー制御部１５０４、色範囲情報取得部１５０５、表示部１５０６などを有する。
【００４７】
画像入力部１５０１は、顕微鏡制御装置１２０から顕微鏡画像（画像表示装置１６００で表示する入力画像）を取得し、取得した顕微鏡画像を画像処理部１５０２に送る。
【００４８】
メニュー制御部１５０４は、観察対象物の色情報を設定するためのＧＵＩを表示部１５０６に出力する。ＧＵＩは、図３に示すＧＵＩと同様のＧＵＩである。実施例１と同様に、ユーザーは、キーボードやマウスを用いてＧＵＩを操作することにより、染色方法と色範囲のサイズを選択する。染色方法とサイズが選択されると、メニュー制御部１５０４には、キーボードやマウスから操作信号が入力される。そして、メニュー制御部１５０４は、操作信号に応じて、選択された染色方法とサイズを基準色データとサイズデータに変換し、基準色データとサイズデータを色範囲情報として色範囲情報取得部１５０５に送る。
【００４９】
色範囲情報取得部１５０５は、メニュー制御部１５０４から色範囲情報（基準色データとサイズデータ）を取得し、観察対象物の色範囲を画像処理部１５０２に伝える。本実施例では、実施例１と同様に、色範囲情報として基準色データとサイズデータが取得され、取得されたそれらのデータから観察対象物の色範囲が算出される。
【００５０】
画像処理部１５０２と領域特定部１５０３により、観察対象物が表示される分割領域を示す分割領域情報が生成され、生成された分割領域情報が画像表示装置１６００に出力される。
本実施例では、色範囲情報取得部１５０５で取得された色範囲情報と、画像入力部２０１で取得された顕微鏡画像（入力画像）とに基づいて、観察対象物が表示される分割領域が検出され、検出結果が分割領域情報として出力される。
【００５１】
画像処理部１５０２は、画像入力部１５０１から顕微鏡画像を受け取る。また、画像処理部１５０２には、色範囲情報取得部１５０５から、色範囲情報で示された色範囲（観察対象物の色範囲）が伝えられる。そして、画像処理部２０２は、顕微鏡画像に対して、色範囲情報で示された色範囲に応じたフィルタ処理を施し、フィルタ処理が施された顕微鏡画像を領域特定部１５０３に送る。なお、フィルタ処理は実施例１と同様のため、その説明は省略する。
【００５２】
領域特定部１５０３は、画像処理部１５０２から上記フィルタ処理の結果（上記フィルタ処理が施された顕微鏡画像）を受け取る。領域特定部１５０３は、上記フィルタ処理の結果に基づいて、観察対象物が表示される分割領域を検出する。検出方法は実施例１と同様のため、その説明は省略する。観察対象物が表示される分割領域を検出する処理により、図１０に示すようなバックライト制御データ（分割領域情報）が生成される。領域特定部１５０３は、バックライト制御データを画像表示装置１６００に送る。
【００５３】
表示部１５０６は、メニュー制御部１５０４から出力されるＧＵＩを画面（表示部１５０６の画面）に表示する。
【００５４】
図１６は、画像表示装置１６００の機能構成の一例を示すブロック図である。画像表示装置１６００は、画像入力部１６０１、液晶表示パネル１６０２、バックライト制御部１６０３、バックライト１６０４、バックライト制御データ取得部１６０５などを有する。
【００５５】
画像入力部１６０１は、顕微鏡制御装置１２０から顕微鏡画像（入力画像）を取得し、取得した顕微鏡画像を液晶表示パネル１６０２に送る。
【００５６】
バックライト１６０４は、実施例１のバックライト２０７と同じものである。バックライト１６０４が有する各発光部の発光輝度は、バックライト制御部１６０３からの制御信号によって制御される。
【００５７】
液晶表示パネル１６０２は、実施例１の液晶表示パネル２０３と同じものである。具体的には、液晶表示パネル１６０２は、バックライト１６０４からの光を透過して入力画像（画像入力部１６０１から出力された顕微鏡画像）を画面に表示する表示パネルである。
【００５８】
バックライト制御データ取得部１６０５は、ＰＣ１５００からバックライト制御データ（分割領域情報）を取得し、取得したバックライト制御データをバックライト制御部１６０３に送る。
【００５９】
バックライト制御部１６０３は、実施例１のバックライト制御部２０６と同じものである。具体的には、バックライト制御部１６０３は、バックライト制御データ取得部１６０５からのバックライト制御データに基づいて、バックライト１６０４が有する各発光部の発光輝度を制御する。
【００６０】
以上述べたように、本実施例によれば、システム全体において、実施例１と同様の処理が行われる。それにより、観察対象物の歪みを招くことなく観察対象物を観察し易くすることができる。また、本実施例では、実施例１で示した画像表示装置２００が行う処理の一部（分割領域情報（バックライト制御データ）を生成する処理）がＰＣ１５００内で行われる。それにより、画像表示装置の処理負荷を実施例１に比べ低減することができる。
【符号の説明】
【００６１】
２００  画像表示装置
２０２  画像処理部
２０３  液晶表示パネル
２０４  色範囲情報取得部
２０５  領域特定部
２０６  バックライト制御部
２０７  バックライト
【図１】
2014164080.tif 000003
【図２】
2014164080.tif 000004
【図３】
2014164080.tif 000005
【図４】
2014164080.tif 000006
【図５】
2014164080.tif 000007
【図６】
2014164080.tif 000008
【図７】
2014164080.tif 000009
【図８】
2014164080.tif 000010
【図９】
2014164080.tif 000011
【図１０】
2014164080.tif 000012
【図１１】
2014164080.tif 000013
【図１２】
2014164080.tif 000014
【図１３】
2014164080.tif 000015
【図１４】
2014164080.tif 000016
【図１５】
2014164080.tif 000017
【図１６】
2014164080.tif 000018